【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
仮想現実アトラクションシステムであって、
仮想現実及び／又は拡張現実（ＶＲ／ＡＲ）ヘッドギアであって、ユーザにＶＲ／ＡＲ映像を表示するように構成されたＶＲ／ＡＲヘッドギアと、
前記ユーザを収容するように構成された少なくとも１つのユーザ支援型車両と、
を備え、前記少なくとも１つのユーザ支援型車両は、
前記ユーザが少なくとも部分的に原動力を与えて前記少なくとも１つのユーザ支援型車両を前記アトラクション内で動かすことを可能にするように構成された、前記ユーザの周囲に境界を定めるフレームと、
前記フレームに結合されて、前記ユーザが前記少なくとも１つのユーザ支援型車両内にいるときに前記ユーザを支持するように構成されたハーネスであって、前記フレームは前記ユーザによって与えられた原動力が前記少なくとも１つのユーザ支援型車両を前記アトラクション内で動かすことを可能とするように構成された、ハーネスと、
振動効果、空気効果、流体効果、効果音、又はこれらのいずれかの組み合わせを含む１又は２以上の特殊効果を前記ユーザに提供するように構成された特殊効果供給システムと、
を含み、
前記仮想現実アトラクションシステムは更に、
前記ＶＲ／ＡＲヘッドギアに前記ＶＲ／ＡＲ映像を通信し、前記ＶＲ／ＡＲ映像を更新し、前記少なくとも１つのユーザ支援型車両と他のユーザ支援型車両またはアトラクションの環境内のオブジェクトとの間の距離を示す近接信号に基づいて前記特殊効果供給システムを作動させるように構成されたコントローラ
を備える、
ことを特徴とする仮想現実アトラクションシステム。
【請求項２】
前記コントローラは、前記少なくとも１つのユーザ支援型車両上に配置される、
請求項１に記載の仮想現実アトラクションシステム。
【請求項３】
作動信号に応答して、前記フレーム内又は該フレーム上に配置されて、特殊効果材料を放出するように構成されたリザーバを備える、
請求項１に記載の仮想現実アトラクションシステム。
【請求項４】
前記アトラクションの環境は、１又は２以上の特殊効果補給ステーション、１又は２以上の構造、１又は２以上のアイテム、又はこれらのいずれかの組み合わせを含む複数の相互作用的オブジェクトを含む、
請求項１に記載の仮想現実アトラクションシステム。
【請求項５】
前記少なくとも１つのユーザ支援型車両上に配置された車両センサから、前記アトラクション内の前記少なくとも１つのユーザ支援型車両の１又は２以上の位置を示す１又は２以上の信号を受け取って、前記少なくとも１つのユーザ支援型車両に前記近接信号を供給するように構成されたアトラクションコントローラを備える、
請求項１に記載の仮想現実アトラクションシステム。
【請求項６】
前記コントローラは、前記近接信号を受け取り、該近接信号に基づいて制動システムにブレーキ信号を供給して選択的に作動させるように構成される、
請求項５に記載の仮想現実アトラクションシステム。
【請求項７】
前記コントローラは、前記近接信号を受け取り、該近接信号に基づいて、前記少なくとも１つのユーザ支援型車両の車輪に駆動信号を供給して該車輪を選択的に操作するように構成される、
請求項５に記載の仮想現実アトラクションシステム。
【請求項８】
前記コントローラは、前記近接信号に基づいて前記少なくとも１つのユーザ支援型車両の制動システム及び車輪を制御するように構成される、
請求項１に記載の仮想現実アトラクションシステム。
【請求項９】
前記原動力は、完全に前記ユーザによって与えられる、
請求項１に記載の仮想現実アトラクションシステム。
【請求項１０】
仮想現実アトラクションシステムであって、
アトラクション内の、各それぞれが車両コントローラを含む複数のユーザ支援型車両と、
アトラクションのための仮想現実及び／又は拡張現実（ＶＲ／ＡＲ）映像を提供して、前記複数のユーザ支援型車両に前記ＶＲ／ＡＲ映像を通信するように構成されたアトラクションコントローラと、
を備え、前記アトラクションコントローラは、命令を記憶するプロセッサを含み、該命令が実行されると、
前記複数のユーザ支援型車両の各ユーザ支援型車両から一定期間にわたって第１の位置情報の組を受け取り、
前記複数のユーザ支援型車両のうちの第１のユーザ支援型車両が前記複数のユーザ支援型車両のうちの第２のユーザ支援型車両の所定の距離内に存在すると判定し、
前記第１のユーザ支援型車両が前記第２のユーザ支援型車両の所定の距離内に存在するとの判定に基づいて前記第２のユーザ支援型車両に関連付けられたＶＲ／ＡＲヘッドセットに対して前記第１のユーザ支援型車両を表すＶＲ／ＡＲ映像の表示をトリガする、
ように機能する、
ことを特徴とする仮想現実アトラクションシステム。
【請求項１１】
前記プロセッサは命令を含み、該命令が実行されると、
第３のユーザ支援型車両が人工的アトラクションオブジェクトからの第２の所定の距離内に存在すると判定し、
前記第３のユーザ支援型車両が前記人工的アトラクションオブジェクトからの前記第２の所定の距離内に存在するとの前記判定に基づいて、前記第３のユーザ支援型車両に関連付けられたＶＲ／ＡＲヘッドセットへ前記人工的アトラクションオブジェクトに関連付けられたアクションを表すＶＲ／ＡＲ映像の表示をトリガする、
ように機能する、
請求項１０に記載の仮想現実アトラクションシステム。
【請求項１２】
前記プロセッサは命令を含み、該命令が実行されると、
前記アトラクションの環境全体を通じて配置された複数のモーションキャプチャカメラから第２の位置情報の組を受け取り、
前記アトラクションコントローラのディスプレイを介して前記第２の位置情報の組の一部を表示する、
ように機能する、
請求項１１に記載の仮想現実アトラクションシステム。
【請求項１３】
前記第１のユーザ支援型車両が前記第２のユーザ支援型車両の前記所定の距離内に存在するとの前記判定に少なくとも基づいて選択的に作動するように構成された、前記複数のユーザ支援型車両の各ユーザ支援型車両に結合される１組のブレーキを含む、
請求項１１に記載の仮想現実アトラクションシステム。
【請求項１４】
前記複数のユーザ支援型車両の各ユーザ支援型車両に結合された車輪を備え、各ユーザ支援型車両は、前記車輪の選択的作動を通じて選択的に進むように構成され、前記選択的作動は、前記第１のユーザ支援型車両が前記第２のユーザ支援型車両の前記所定の距離内に存在するとの前記判定に少なくとも基づく、
請求項１１に記載の仮想現実アトラクションシステム。
【請求項１５】
一組のブレーキが前記複数のユーザ支援型車両の各ユーザ支援型車両に結合され、前記第３のユーザ支援型車両が前記人工的アトラクションオブジェクトからの前記第２の所定の距離内に存在するとの前記判定に少なくとも基づいて選択的に作動するに構成される、
請求項１１に記載の仮想現実アトラクションシステム。
【請求項１６】
前記複数のユーザ支援型車両の各ユーザ支援型車両に結合された車輪を備え、各ユーザ支援型車両は前記車輪の選択的作動を通じて選択的に進むように構成され、前記選択的作動は前記第３のユーザ支援型車両が前記人工的アトラクションオブジェクトからの前記第２の所定の距離内に存在するとの前記判定に少なくとも基づく、
請求項１１に記載の仮想現実アトラクションシステム。
【請求項１７】
前記プロセッサは命令を含み、該命令が実行されると、前記複数のユーザ支援型車両の各ユーザ支援型車両のモータ及びステアリングシステムを制御するように機能する、
請求項１０に記載の仮想現実アトラクションシステム。
【請求項１８】
前記プロセッサは命令を含み、該命令が実行されると、前記第１の位置情報の組に少なくとも基づいて１又は２以上の特殊効果を展開するように構成された特殊効果システムを制御するように機能する、
請求項１０に記載の仮想現実アトラクションシステム。
【請求項１９】
前記複数のユーザ支援型車両の各ユーザ支援型車両の移動方向は、各それぞれの車両コントローラの第１の入力装置を介して制御されるように構成され、前記複数のユーザ支援型車両の各ユーザ支援型車両は、各それぞれの車両コントローラの第２の入力装置に応答して、前記アトラクションの環境内の１又は２以上の相互作用的オブジェクトと相互作用するように構成される、
請求項１０に記載の仮想現実アトラクションシステム。
【請求項２０】
仮想現実アトラクションシステムであって、
複数のアトラクション構造を含むアトラクション環境と、
ユーザを収容するように構成された少なくとも１つのユーザ支援型車両と、
命令を実行するように構成されたプロセッサを含むアトラクションコントローラと、
を備え、前記少なくとも１つのユーザ支援型車両は、
前記ユーザが少なくとも部分的に原動力を与えて前記少なくとも１つのユーザ支援型車両を前記アトラクション内で動かすことを可能にするように構成された、前記ユーザの周囲に境界を定めるフレームと、
前記フレームに結合されて、前記ユーザが前記少なくとも１つのユーザ支援型車両内にいる時に前記ユーザを支持するように構成されたハーネスであって、前記フレームは前記ユーザによって与えられた原動力が前記少なくとも１つのユーザ支援型車両を前記アトラクション内で動かすことを可能とするように構成された、ハーネスと、
前記ユーザが着用した仮想現実及び／又は拡張現実（ＶＲ／ＡＲ）ヘッドギアにＶＲ／ＡＲ映像を通信するように構成された車両コントローラと、
を含み、前記命令が実行されると前記アトラクションコントローラは、
前記車両コントローラと通信して該車両コントローラに前記ＶＲ／ＡＲ映像を提供し、
前記環境内の前記少なくとも１つのユーザ支援型車両の位置を表す位置情報を受け取り、
前記位置情報に基づいて前記ＡＲ及び／又はＶＲ映像を更新し、
前記車両コントローラと通信して、前記位置情報に基づいて前記ユーザ支援型車両を介して特殊効果を作動させる、
ことを特徴とする仮想現実アトラクションシステム。
【請求項２１】
前記車両コントローラは、前記少なくとも１つのユーザ支援型車両上及び／又は前記環境内に配置された１又は２以上のセンサから一定期間にわたって前記位置情報を受け取る、
請求項２０に記載の仮想現実アトラクションシステム。
【請求項２２】
前記少なくとも１つのユーザ支援型車両は、前記ユーザからの入力又は力に応答して前記少なくとも１つのユーザ支援型車両を操縦するように構成されたハンドルを含む、
請求項２０に記載の仮想現実アトラクションシステム。
【請求項２３】
前記プロセッサが命令を実行すると、前記アトラクションコントローラは、
前記位置情報に基づいて前記少なくとも１つのユーザ支援型車両の位置を決定し、追跡し、
前記車両コントローラと通信し、前記少なくとも１つのユーザ支援型車両の位置に基づいて、特殊効果材料を前記少なくとも１つのユーザ支援型車両から放出する、
ように構成された、
請求項２０に記載の仮想現実アトラクションシステム。
【請求項２４】
前記プロセッサが命令を実行すると、前記アトラクションコントローラは、
前記複数のアトラクション構造のうちの１つのアトラクション構造の位置に対する前記少なくとも１つのユーザ支援型車両の位置に基づいて、前記特殊効果材料を前記少なくとも１つのユーザ支援型車両から放出する、
ように構成された、
請求項２３に記載の仮想現実アトラクションシステム。
【請求項２５】
前記プロセッサが命令を実行すると、前記アトラクションコントローラは、
前記複数のアトラクション構造のうちの前記アトラクション構造に対する前記少なくとも１つのユーザ支援型車両の位置に基づいて、前記複数のアトラクション構造のうちの前記アトラクション構造及び前記少なくとも１つのユーザ支援型車両の前記フレームの両方から前記特殊効果材料を放出する、
ように構成された、
請求項２４に記載の仮想現実アトラクションシステム。